(57)【要約】      （修正有）【課題】冊子の側面を利用して立体的な装飾効果を持たせた冊子状装飾品を提供する。【解決手段】綴じられることにより冊子１を構成する各枚葉紙について、小口３ａ、天３ｂ、地３ｃの少なくともいずれかに対応する辺部分を屈曲状に加工形成することにより、各枚葉紙を綴じて冊子１としたときの小口３ａ、天３ｂ、地３ｃの少なくともいずれかの部分に、彫刻状の凹凸によって構成される装飾形状４を形成した。これにより、冊子１自体を立体的な装飾品として機能させ、室内装飾や贈答品として利用することができる。【選択図】図１
0003182217.tif 000002
【実用新案登録請求の範囲】
【請求項１】
綴じられることにより冊子を構成する各枚葉紙について、小口、天、地の少なくともいずれかに対応する辺部分と各枚葉紙の中央部の少なくともいずれかに、屈曲状の加工部分を形成することにより、各枚葉紙を綴じて冊子としたときの小口、天、地、冊子内部の少なくともいずれかの部分に、彫刻状の凹凸によって構成される装飾形状を形成したことを特徴とする冊子状装飾品。
【請求項２】
綴じられた枚葉紙に外装が取り付けられ、上記小口、天、地の部分に彫刻状の凹凸によって構成される装飾形状が、外装の周縁をはみ出ないように形成されている請求項１記載の冊子状装飾品。
【考案の詳細な説明】
【技術分野】
【０００１】
本考案は、冊子の側面を利用して装飾効果を持たせた冊子状装飾品に関する。
【背景技術】
【０００２】
従来から、冊子の小口を情報の表示に利用することが行われている（例えば、下記の特許文献１〜６）。これらは、冊子の小口に文字やマークを印刷することにより、冊子の内容やインデックス等の情報を表示するようにしたものである。
【先行技術文献】
【特許文献】
【０００３】
【特許文献１】特開平１１−４２８７０号公報
【特許文献２】特開２００３−２０８１０２号公報
【特許文献３】特許第３７８５４９７号公報
【特許文献４】特開２０１１−１１４４８号公報
【特許文献５】特開２００５−２５４５８７号公報
【特許文献６】特開２００２−２６４５６３号公報
【考案の概要】
【考案が解決しようとする課題】
【０００４】
しかしながら、上記従来技術は、冊子の内容やインデックス等の情報を提示するに留まるものである。いずれも、冊子自体を立体的な装飾品として機能させうるものではない。
【０００５】
本考案は、上記課題を解決するためになされたものであり、冊子の側面を利用して立体的な情報や装飾効果を持たせた冊子状装飾品を提供することをその目的とする。
【課題を解決するための手段】
【０００６】
上記の目的を達成するため、本考案の冊子状装飾品は、綴じられることにより冊子を構成する各枚葉紙について、小口、天、地の少なくともいずれかに対応する辺部分と各枚葉紙の中央部の少なくともいずれかに、屈曲状の加工部分を形成することにより、各枚葉紙を綴じて冊子としたときの小口、天、地、冊子内部の少なくともいずれかの部分に、彫刻状の凹凸によって構成される装飾形状を形成したことを要旨とする。
【考案の効果】
【０００７】
本考案の冊子状装飾品は、綴じられることにより冊子を構成する各枚葉紙について、小口、天、地の少なくともいずれかに対応する辺部分と各枚葉紙の中央部の少なくともいずれかに、屈曲状の加工部分を形成することにより、各枚葉紙を綴じて冊子としたときの小口、天、地、冊子内部の少なくともいずれかの部分に、彫刻状の凹凸によって構成される装飾形状を形成した。これにより、冊子自体を立体的な装飾品として機能させ、室内装飾や贈答品ならびに立体説明書などとして利用することができる。
【０００８】
本考案において、綴じられた枚葉紙に外装が取り付けられ、上記小口、天、地の部分に彫刻状の凹凸によって構成される装飾形状が、外装の周縁をはみ出ないように形成されている場合には、
外装を閉じた状態で彫刻状の凹凸がはみ出ないため、持ち運ぶ際に装飾形状が損傷するのを防止できる。
【図面の簡単な説明】
【０００９】
【図１】本考案の一実施の形態における冊子状装飾品を示す図である。
【図２】上記冊子状装飾品に用いる枚葉紙の一部を示す図である。
【考案を実施するための形態】
【００１０】
以下、本考案の冊子状装飾品の実施の形態について詳細に説明する。
【００１１】
図１は本考案の一実施形態における冊子状装飾品を示す図である。（Ａ）は表紙を開いた状態、（Ｂ）は閉じた状態である。
【００１２】
この冊子状装飾品は、綴じられることにより冊子１を構成する各枚葉紙２について、小口３ａ、天３ｂ、地３ｃの少なくともいずれかに対応する辺部分を屈曲状に加工形成している。これにより、各枚葉紙２を綴じて冊子１としたときの小口３ａ、天３ｂ、地３ｃの少なくともいずれかの部分に、彫刻状の凹凸によって構成される装飾形状４を形成したものである。
【００１３】
より詳しく説明すると、上記冊子１は、複数の枚葉紙２が綴じられて外装６が取り付けられている。この例では、上記外装６は、表紙と裏表紙ならびに背表紙から構成された、いわゆるハードカバー用の堅表紙である。外装６として堅表紙を用いることで、装飾品としてよりゴージャスな装飾効果を持たせることができる。
【００１４】
この例では、上記彫刻状の凹凸によって構成される装飾形状４として建築物の形状を形成した。そして、各枚葉紙２として、当該建築物を建造する際に作成された設計図面の青焼き写しを切断して使用している。
【００１５】
図２は上記冊子状装飾品に用いる枚葉紙２の一部を示す斜視図である。図２では、数１００枚の枚葉紙２のうち５枚を抜き出して示している。
【００１６】
上記枚葉紙２は、四角形の枚葉紙２における小口３ａ、天３ｂ、地３ｃの少なくともいずれかに対応する辺を含む部分に、切り落とし部５が形成されている。上記切り落とし部５を形成して残されたところに、屈曲状の加工部分が形成される。
【００１７】
図示した例では、枚葉紙２の小口３ａに対応する部分に、第１〜第５の凸片７ａ，７ｂ，７ｃ，７ｄ，７ｅが形成されている。
この例では、図示の最も上に位置する第１の凸片７ａは、外に向かって延びる帯状である。
その下に位置する第２の凸片７ｂは、第１の凸片７ａより少し幅広である。
その下に位置する第３の凸片７ｃは、第２の凸片７ｂより少し幅広である。
その下に位置する第４の凸片７ｄは、第３の凸片７ｃより少し幅広である。
その下に位置する第５の凸片７ｅは、第４の凸片７ｄより少し幅広である。
【００１８】
このように、厚み方向に重なる各枚葉紙２において、屈曲状の加工部分の形状や寸法を少しずつ変化させている。もちろん、複数枚にわたって屈曲状の加工部分の形状や寸法を変化させない部分を設ける場合もある。このような屈曲状の加工部分を形成した各枚葉紙２を、所定の順番で厚み方向に重ねることにより、屈曲状の加工部分が徐々に形状や寸法を変化させたり、一定の形状や寸法を保ったりした、彫刻状の凹凸が形成される。
【００１９】
この状態で重ねたままの各枚葉紙２の背表紙に対応する部分を綴じ合わせ、必要に応じて外装６を取り付けて冊子１を形成する。
【００２０】
このように、綴じられた枚葉紙２に外装６が取り付けられた状態で、上記彫刻状の凹凸によって構成される装飾形状４が、外装６の周縁をはみ出ないように形成する。
【００２１】
すなわち、上記各枚葉紙２は、外装６の表紙および背表紙の形状および寸法よりも少なくとも同じか小さい形状および寸法のものを用い、それに切り落とし部５を形成して屈曲状の加工部分をつくるようにする。
【００２２】
以上のように、本実施形態の冊子状装飾品は、綴じられることにより冊子１を構成する各枚葉紙２について、小口３ａ、天３ｂ、地３ｃの少なくともいずれかに対応する辺部分を屈曲状に加工形成することにより、各枚葉紙２を綴じて冊子１としたときの小口３ａ、天３ｂ、地３ｃの少なくともいずれかの部分に、彫刻状の凹凸形状によって構成される装飾模様を形成した。これにより、冊子１自体を立体的な装飾品として機能させ、室内装飾や贈答品ならびに立体説明書などとして利用することができる。
【００２３】
また、綴じられた枚葉紙２に外装６が取り付けられ、上記小口、天、地の部分に彫刻状の凹凸によって構成される装飾形状４が、外装６の周縁をはみ出ないように形成されている場合には、
外装６を閉じた状態で彫刻状の凹凸がはみ出ないため、持ち運ぶ際に装飾形状４が損傷するのを防止できる。
【００２４】
上記実施形態では、小口３ａ、天３ｂ、地３ｃの少なくともいずれかに対応する辺部分を屈曲状に加工形成することにより、各枚葉紙２を綴じて冊子１としたときの小口３ａ、天３ｂ、地３ｃの少なくともいずれかの部分に、彫刻状の凹凸形状によって構成される装飾模様を形成したものを説明した。他の実施形態として、各枚葉紙２の中央部をくりぬくように屈曲状の加工部分を形成することもできる。このようにすることにより、冊子の中央部をくりぬいたように彫刻状の凹凸によって構成される装飾形状４を形成することができる。
【００２５】
以上は本考案の特に好ましい実施形態について説明したが、本考案は図示の実施形態に限定する趣旨ではない。本考案は、各種の態様に変形して実施することができ、各種の変形例を包含する趣旨である。
【符号の説明】
【００２６】
１  冊子
２  枚葉紙
３ａ  小口
３ｂ  天
３ｃ  地
４  装飾形状
５  切り落とし部
６  外装
７ａ  第１の凸片
７ｂ  第２の凸片
７ｃ  第３の凸片
７ｄ  第４の凸片
７ｅ  第５の凸片
【図１】
0003182217.tif 000003
【図２】
0003182217.tif 000004